(57)【要約】【課題】エスカレータに多くの手間や時間をかけることなく設置、撤去でき、異物が、踏面や蹴上げ面だけでなく、これらの踏面や蹴上げ面と欄干側面部内側との間の隙間に入り込むことを良好に防止できるエスカレータ用保護シートを提供する。【解決手段】エスカレータ１の踏面３を覆い、板材１１が配設されている踏面覆い部１２と、エスカレータ１の踏面３の間の高さに対応する蹴上げ面４を覆う蹴上げ面覆い部１３と、エスカレータ１の左右の欄干側面部内側５を覆う側面覆い部１４と、を有し、踏面覆い部１２と蹴上げ面覆い部１３の長辺側が接合され、踏面覆い部１２と蹴上げ面覆い部１３の短辺側両辺に側面覆い部１４が接合され、これらの踏面覆い部１２と蹴上げ面覆い部１３と側面覆い部１４とが、踏面３と蹴上げ面４と欄干側面部内側５の形状に応じて一体型に成形されている。【選択図】図１
2020176008.tif 000002
【特許請求の範囲】
【請求項１】
エスカレータを覆って保護するエスカレータ用保護シートであって、
エスカレータの踏面を覆い、板材が配設されている踏面覆い部と、エスカレータの踏面の間の高さに対応する蹴上げ面を覆う蹴上げ面覆い部と、エスカレータの左右の欄干側面部内側を覆う側面覆い部と、を有し、
踏面覆い部と蹴上げ面覆い部の長辺側が接合され、踏面覆い部と蹴上げ面覆い部の短辺側両辺に側面覆い部が接合され、これらの踏面覆い部と蹴上げ面覆い部と側面覆い部とが、踏面と蹴上げ面と欄干側面部内側の形状に応じて一体型に成形されている
ことを特徴とするエスカレータ用保護シート。
【請求項２】
エスカレータを覆って保護するエスカレータ用保護シートであって、
エスカレータの踏面を覆い、板材が配設されている複数の踏面覆い部と、エスカレータの踏面の間の高さに対応する蹴上げ面を覆う複数の蹴上げ面覆い部と、エスカレータの左右の欄干側面部内側を覆う左右の側面覆い部と、を有し、
これらの複数の踏面覆い部と複数の蹴上げ面覆い部と左右の側面覆い部とにより、複数段のエスカレータの複数段の踏面とこれらの踏面間の複数段の蹴上げ面と左右の欄干側面部内側とを覆うように接合され、
蹴上げ面覆い部における、設置時に直上段となる踏面覆い部と接続される辺が、この踏面覆い部の下面における奥行方向の途中部分に接続されていることを特徴とするエスカレータ用保護シート。
【請求項３】
蹴上げ面覆い部における設置時に蹴上げ面の縦方向に沿う長さと設置時に直上段の踏面覆い部に重なる前記途中部分までの長さとを合わせた蹴上げ面覆い部の長さが、踏面覆い部における前記途中部分から、この踏面覆い部の奥端辺までの長さと略同一であることを特徴とする請求項２に記載のエスカレータ用保護シート。
【請求項４】
踏面覆い部に、開口部を通して板材を収納する板材収納部と、開口部を開閉する着脱体と、が設けられていることを特徴とする請求項１〜３の何れか１項に記載のエスカレータ用保護シート。
【請求項５】
側面覆い部の外側に、エスカレータの欄干側面部内側に付着する付着部が設けられていることを特徴とする請求項１〜４の何れか１項に記載のエスカレータ用保護シート。
【請求項６】
側面覆い部に、当該エスカレータ用保護シートの折り畳み時に折り畳み位置を案内する折り畳み用案内部が設けられていることを特徴とする請求項１〜５の何れか１項に記載のエスカレータ用保護シート。
【請求項７】
蹴上げ面覆い部と側面覆い部とが折り畳み自在に構成され、エスカレータの踏面の間の高さが小さくなっている箇所でも設置可能に構成されていることを特徴とする請求項１〜６の何れか１項に記載のエスカレータ用保護シート。
【発明の詳細な説明】
【技術分野】
【０００１】
本発明は、エスカレータを保護するエスカレータ用保護シートに関する。
【背景技術】
【０００２】
エスカレータを据え付けた後に、エスカレータ周辺の工事を行う際や、エスカレータが設けられている空間の天井に取り付けられている照明装置や天井パネルなどを修理したり交換したりするいわゆるメンテナンス工事を行う際などには、工事対象となる天井などから、ねじや工事で発生したかけらなどの各種の異物がエスカレータ上に落下することがある。したがって、このような工事を行う際には、落下するねじなどの異物がエスカレータの踏面や内部などに入り込むなどして傷つくことがないように、エスカレータの踏面などに保護シート（養生シートとも呼ばれる）を前もって被せて保護するなどの設置作業を行っている。また、前記メンテナンス工事などが終わると、被せた保護シートなどを撤去している。
【０００３】
詳しくは、例えば、ねじなどの異物が、エスカレータの踏面上に落ちたり、エスカレータの踏面と例えば欄干の側面部内側の下部に設けられているスカートガードとの間の隙間などに落ちたりすると、エスカレータの構成部品が傷ついたり、エスカレータが正常に動かなくなるトラブルを発生したりする恐れがある。このため、エスカレータに直接異物が落ちると、より良好な安全性を確保するために、異物が落ちた箇所近傍の機械のユニット部分を交換する場合もあり、この場合には多くの手間がかかるとともに、交換部品等の多大な費用も発生する。したがって、このような不具合を生じないように、保護シートなどを予め被せるなどの設置作業を行っている。
【０００４】
この保護シートなどの設置作業などについて具体的に説明する。エスカレータの階段部は、エスカレータの利用者が踏む踏面と、踏面の間の高さ部分に対応する蹴上げ面と、これらの踏面や蹴上げ面を駆動するための構成部品などから構成されている。また、エスカレータには欄干が左右に立設されており、各欄干の上端には利用者が手を載せる手摺が設けられているとともに、欄干の側面部内側の下部にはスカートガードなどが設けられている。そして、保護シートなどの設置工事を行う際には、少なくともエスカレータの踏面や蹴上げ面などを覆うように、面状に広げることができる保護シート（合成樹脂製シートで、ブルーシートとも称せられる）を被せている。
【０００５】
また、エスカレータが設けられている空間の天井などの工事を行う際には、エスカレータの踏面に単管パイプなどを立てて工事用の足場を組む必要がある。したがって、この際には、単管パイプなどを設置する箇所が不安定とならないように、保護シートを階段部などに被せた後に、踏面に置いた保護シートの上に、踏面の大きさに合ったベニヤ板などの板材を置いて、この板材上に単管パイプなどを立設させている。また、板材が滑らないように、保護シートと板材との間にゴムマットなどを敷く場合もある。ベニヤ板などの板材は、足場を組んだり取り外したりする際に、足場や工事で用いる単管パイプなどを落としたり、工具などを落としたりした際の衝撃で踏面を破損しないようにするため、エスカレータの踏面を広い範囲（殆どの場合には全段に）に渡って敷いている。
【０００６】
ところで、エスカレータの踏面などを保護するものとして、例えば、特許文献１や特許文献２に、エスカレータの養生装置やエスカレータ踏段の養生装置が開示されている。なお、一般に、エスカレータの踏面の短辺の長さ（奥行方向寸法）は、エスカレータの蹴上げ面の短辺の長さ（高さ）よりも長い。したがって、特許文献１や特許文献２に開示された前記養生装置でも、これに合わせて、踏面覆い部の短辺の長さは、蹴上げ面覆い部の短辺の長さよりも長く構成されている。
【先行技術文献】
【特許文献】
【０００７】
【特許文献１】特開２００１−１９３３３号公報
【特許文献２】特開平２−１４７５９６号公報
【発明の概要】
【発明が解決しようとする課題】
【０００８】
しかし、上記のようにブルーシートとも称せられる面状の保護シートを踏面や蹴上げ面の形状に合わせて覆ったり、踏面の寸法に合わせた板材を敷いたりする各作業を行うには、多くの手間や時間がかかってしまい、特にエスカレータの踏面を広い範囲（殆どの場合には全段に）に渡って敷く場合には、大変多くの手間や時間がかかってしまう。また、これらの保護シートや板材などを撤去する際には、保護シートや板材の上に落ちた異物などが、エスカレータの踏面と欄干の側面部内側との間の隙間などに落ちたりすることがないように注意する必要があるため、この際にも多くの手間や時間がかかってしまう。また、板材が滑らないように保護シートと板材との間にゴムマットなどを敷いた場合でも、作業者が上り下りする際に、板材がずれることを完全に防ぐことができず、安全性が低下するおそれがあった。
【０００９】
特許文献１に、踏面と蹴上げ面を覆う踏段用シートと欄干を覆う欄干用シートが提案されている。しかし、これらの踏段用シートや欄干用シートでは、踏段用シートの両端を踏段と欄干のスカートガードとの間に挿入しているので、欄干用シートで挿入部を覆っていてもシートを撤去する際に踏面または蹴上げ部とスカートガードとの間に異物などが転がり込む場合がある。また、欄干用シート下端部は踏段の形状に応じて成形されていない（欄干用シート下端部は踏段の形状に応じて成形されているとは記載されていない）ので、蹴上げ面および踏面奥端部近傍は欄干用シート下端部が接触していない状態になる恐れがあり、その隙間から異物などが転がり込む場合がある。
【００１０】
特許文献２に、踏面を覆う板部材と、ライザー面を覆うシート部材とを備えたエスカレータ踏段の養生装置が提案されている。しかし、このエスカレータ踏段の養生装置では、側面覆い部がなく、踏面または蹴上げ面とスカートガードとの間に異物などが入り込む恐れがある。また、踏面覆い部同士が例えば同一方向に重なるようにエスカレータ用保護シートを折り畳んだ際に、踏面覆い部同士が前後方向や左右方向にずれない状態で折り畳むことができない。
【００１１】
本発明は上記課題を解決するもので、エスカレータに多くの手間や時間をかけることなく設置したり、撤去したりすることができ、しかも、異物が、踏面や蹴上げ面だけでなく、これらの踏面や蹴上げ面と欄干の側面部内側との間の隙間に入り込むことを良好に防止できるエスカレータ用保護シートを提供することを目的とするものである。
【課題を解決するための手段】
【００１２】
上記課題を解決するために、本発明は、エスカレータを覆って保護するエスカレータ用保護シートであって、エスカレータの踏面を覆い、板材が配設されている踏面覆い部と、エスカレータの踏面の間の高さに対応する蹴上げ面を覆う蹴上げ面覆い部と、エスカレータの左右の欄干側面部内側を覆う側面覆い部と、を有し、踏面覆い部と蹴上げ面覆い部の長辺側が接合され、踏面覆い部と蹴上げ面覆い部の短辺側両辺に側面覆い部が接合され、これらの踏面覆い部と蹴上げ面覆い部と側面覆い部とが、踏面と蹴上げ面と欄干側面部内側の形状に応じて一体型に成形されていることを特徴とする。
【００１３】
また、本発明は、エスカレータを覆って保護するエスカレータ用保護シートであって、エスカレータの踏面を覆い、板材が配設されている複数の踏面覆い部と、エスカレータの踏面の間の高さに対応する蹴上げ面を覆う複数の蹴上げ面覆い部と、エスカレータの左右の欄干側面部内側を覆う左右の側面覆い部と、を有し、これらの複数の踏面覆い部と複数の蹴上げ面覆い部と左右の側面覆い部とにより、複数段のエスカレータの複数段の踏面とこれらの踏面間の複数段の蹴上げ面と左右の欄干側面部内側とを覆うように接合され、蹴上げ面覆い部における、設置時に直上段となる踏面覆い部と接続される辺が、この踏面覆い部の下面における奥行方向の途中部分に接続されていることを特徴とする。
【００１４】
また、本発明のエスカレータ用保護シートは、蹴上げ面覆い部における設置時に蹴上げ面の縦方向に沿う長さと設置時に直上段の踏面覆い部に重なる前記途中部分までの長さとを合わせた蹴上げ面覆い部の長さが、踏面覆い部における前記途中部分から、この踏面覆い部の奥端辺までの長さと略同一であることを特徴とする。
【００１５】
また、本発明のエスカレータ用保護シートは、踏面覆い部に、開口部を通して板材を収納する板材収納部と、開口部を開閉する着脱体と、が設けられていることを特徴とする。
【００１６】
また、本発明のエスカレータ用保護シートは、側面覆い部の外側に、エスカレータの欄干側面部内側に付着する付着部が設けられていることを特徴とする。
【００１７】
また、本発明のエスカレータ用保護シートは、側面覆い部に、当該エスカレータ用保護シートの折り畳み時に折り畳み位置を案内する折り畳み用案内部が設けられていることを特徴とする。
【００１８】
また、本発明のエスカレータ用保護シートは、蹴上げ面覆い部と側面覆い部とが折り畳み自在に構成され、エスカレータの踏面の間の高さが小さくなっている箇所でも設置可能に構成されていることを特徴とする。
【発明の効果】
【００１９】
本発明によれば、踏面覆い部と蹴上げ面覆い部とに加えて、エスカレータの左右の欄干側面部内側を覆う側面覆い部を有し、これらの踏面覆い部と蹴上げ面覆い部と側面覆い部とが踏面と蹴上げ面と欄干側面部内側の形状に応じて一体型に成形されていることにより、エスカレータ用保護シートをエスカレータ上で広げるだけで、素早くかつ簡単に、すなわち、少ない時間で手間を省きながら、エスカレータに設置することができ、撤去作業も素早くかつ簡単に行うことができる。例えば、このエスカレータが、列車が出入りする駅などに設置されている場合には、工事（例えばメンテナンス作業など）を実施可能な時間が、終電から始発までの限られた時間（例えば、４時間程度）内に行わなければならないが、これによれば、エスカレータ用保護シートを広げたり撤去したりする作業を大幅に短縮することができるため、メンテナンス作業などの時間を長く確保することができる利点がある。また、エスカレータ内側の左右の欄干側面部内側を覆う側面覆い部を有し、踏面覆い部と蹴上げ面覆い部の短辺側両辺に側面覆い部を接合させることにより、ねじなどの異物が、踏面や蹴上げ面だけでなく、これらの踏面や蹴上げ面と欄干側面部内側との間の隙間に、落ちたり入り込んだりすることを良好に防止することができ、良好な信頼性を得ることができる。また、これらの踏面覆い部と蹴上げ面覆い部と側面覆い部とが、踏面と蹴上げ面と欄干側面部内側の形状に応じて一体型に成形されてエスカレータを覆っているので、保護した踏面上を作業者が歩くことができ、そのスペースも多く取れる。また、踏面覆い部に板材が配設されて一体化されているので、作業者が上り下りしても、板材がずれることを防止でき、安全性を向上させることができる。
【００２０】
また、蹴上げ面覆い部における、設置時に直上段となる踏面覆い部と接続される辺を、この踏面覆い部の下面における奥行方向の途中部分に接続することで、踏面覆い部同士が例えば上下方向に重なるようにエスカレータ用保護シートを折り畳んだ際に、踏面覆い部同士が前後方向や左右方向にずれる寸法が少ない状態で折り畳むことが可能となる。さらに、蹴上げ面覆い部における設置時に蹴上げ面の縦方向に沿う長さと設置時に直上段の踏面覆い部に重なる前記途中部分までの長さとを合わせた蹴上げ面覆い部の長さが、踏面覆い部における前記途中部分から、この踏面覆い部の奥端辺までの長さと略同一であるよう構成することにより、踏面覆い部同士が例えば上下方向に重なるようにエスカレータ用保護シートを折り畳んだ際に、踏面覆い部同士が前後方向や左右方向にずれない状態で折り畳むことができるので、エスカレータ用保護シートを極めてコンパクトな状態で折り畳むことができて、持ち運びが容易となるとともに保管スペースを小さくすることができる。
【図面の簡単な説明】
【００２１】
【図１】本発明の実施の形態に係るエスカレータ用保護シートの側面断面図であり、エスカレータ用保護シートをエスカレータに設置したエスカレータ設置状態を示す。
【図２】同エスカレータ用保護シートの正面図であり、エスカレータ設置状態を示す。
【図３】同エスカレータ用保護シートの斜視図であり、エスカレータ設置状態を示す。
【図４】同エスカレータ用保護シートの要部拡大側面断面図である。
【図５】同エスカレータ用保護シートの最下段箇所の要部拡大側面断面図である。
【図６】同エスカレータ用保護シートの板材を踏面覆い部に収納する様子を簡略的に示す要部拡大側面断面図である。
【図７】同エスカレータ用保護シートの折り畳み途中の様子を簡略的に示す側面断面図である。
【図８】同エスカレータ用保護シートの折り畳んだ状態を簡略的に示す側面断面図である。
【図９】比較例のエスカレータ用保護シートを折り畳んだ状態を簡略的に示す側面断面図である。
【図１０】同エスカレータ用保護シートの側面覆い部の折り畳み位置などを簡略的に示す図である。
【図１１】同エスカレータ用保護シートの側面覆い部の折り畳み状態を簡略的に示す斜視図である。
【図１２】同エスカレータ用保護シートの側面覆い部の折り畳み状態を簡略的に示す斜視図である。
【図１３】同エスカレータ用保護シートの側面覆い部の折り畳み状態を簡略的に示す斜視図である。
【図１４】同エスカレータ用保護シートの側面覆い部の折り畳み状態を簡略的に示す斜視図である。
【図１５】同エスカレータ用保護シートの、最上段の延長用踏面覆い部に設けた補助着脱体などを示す図である。
【図１６】同エスカレータ用保護シートの、最下段の踏面覆い部の下面に設けた補助着脱体などを示す図である。
【図１７】同エスカレータ用保護シートの、蹴上げ面覆い部と踏面覆い部との接合箇所である下段接続部が直下段の踏面覆い部の後端上部である場合を示す側面断面図である。
【図１８】同エスカレータ用保護シートの下段接続部が直下段の踏面覆い部の後端下部である場合を示す側面断面図である。
【図１９】同エスカレータ用保護シートの下段接続部が直下段の踏面覆い部の下面の途中箇所である場合を示す側面断面図である。
【発明を実施するための形態】
【００２２】
以下、本発明の実施の形態に係るエスカレータ用保護シートを、図面に基づき説明する。図１〜図８および図１０〜図１９は本発明の実施の形態に係るエスカレータ用保護シートを示し、図１〜図５などはエスカレータ用保護シートをエスカレータに設置した状態を示し、図７、図８はエスカレータ用保護シートを折り畳む状態を示す。なお、これらの図面においては、理解し易いように、複数段の階段部およびこれに対応する欄干側面部内側を覆う１組のエスカレータ用保護シートだけをエスカレータに設置した状態を示しているが、実際には、エスカレータの保護範囲に応じて、このエスカレータ用保護シートを前後に複数組繋げて（前端部や後端部が重なるように）設置する。
【００２３】
図１〜図３において、１はエスカレータ、１０はエスカレータ１を覆って保護する本発明の実施の形態に係るエスカレータ用保護シートである。まず、図１〜図３を参照しながら、エスカレータ１について説明する。図１〜図３に示すように、エスカレータ１は、階段部２と左右の欄干側面部内側５とを有する。階段部２は、エスカレータ１の利用者が踏む複数の踏面３と、踏面３の間の高さ部分に対応する複数の蹴上げ面４と、これらの踏面３や蹴上げ面４を駆動するための構成部品（図示せず）などから構成されている。踏面３や蹴上げ面４は、左右方向に長く、左右方向の寸法（すなわち幅）と比較して、奥行方向（踏面３の場合）または高さ方向（蹴上げ面４の場合）に短い矩形形状とされている。
【００２４】
エスカレータ１の階段部２の左右には欄干６が立設されている。各欄干６の上端部には利用者が手を載せる手摺７が設けられているとともに、欄干側面部内側５には内側板５Ａ、下部にはインナーデッキ５Ｂおよびスカートガード５Ｃが設けられている。なお、インナーデッキ５Ｂおよびスカートガード５Ｃはエスカレータ１の側面部内側５の一部を構成している。但し、エスカレータ１によっては、インナーデッキ５Ｂが設けられていない場合もある。
【００２５】
図１〜図５に示すように、エスカレータ用保護シート１０は、エスカレータ１の踏面３を覆い、板材１１が配設されている踏面覆い部１２と、エスカレータ１の蹴上げ面４を覆う蹴上げ面覆い部１３と、エスカレータ１の左右の欄干側面部内側５を覆う側面覆い部１４と、を有する。なお、この実施の形態の図面などでは、側面覆い部１４は、エスカレータ１の左右の欄干側面部内側５の下部に設けられているインナーデッキ５Ｂおよびスカートガード５Ｃを覆っている場合を示しているが、インナーデッキ５Ｂが無い場合には、エスカレータ１のスカートガード５Ｃおよび内側板５Ａの下部を覆うよう構成される。
【００２６】
踏面覆い部１２および板材１１は、踏面３に合わせた大きさおよび形状とされ、左右方向に長く（すなわち幅が広く）奥行き方向に短い矩形形状とされている。また、蹴上げ面覆い部１３は、蹴上げ面４の左右方向の寸法（すなわち幅）に合わせた寸法とされている。すなわち、踏面覆い部１２の前端部（先端部とも称す）や後端部（奥端部とも称す）の辺が踏面覆い部１２の長辺であり、踏面覆い部１２の左端部や右端部の辺が踏面覆い部１２の短辺である。
【００２７】
一方、図１や図４、図５などに示すように、蹴上げ面覆い部１３は、蹴上げ面４の上端部から直上段の踏面覆い部１２の下面に沿って前方に少し入り込んでいる。つまり、蹴上げ面覆い部１３は、前記入り込んでいる寸法分だけ、蹴上げ面４の高さよりも大きな寸法とされている。
【００２８】
エスカレータ用保護シート１０は、踏面覆い部１２と蹴上げ面覆い部１３の長辺側が接合されている。また、踏面覆い部１２と蹴上げ面覆い部１３の短辺側両辺に側面覆い部１４が上方にほぼ直角に延びる状態で接合されている。そして、これらの踏面覆い部１２と蹴上げ面覆い部１３と側面覆い部１４とが、踏面３と蹴上げ面４と欄干側面部内側５との形状に応じて一体型に成形（形成）されている。したがって、エスカレータ用保護シート１０の踏面覆い部１２と蹴上げ面覆い部１３と側面覆い部１４とにより、エスカレータ１における階段部２と左右の欄干側面部内側５との間の隙間も覆っている。
【００２９】
なお、図１〜図５に示すように、この実施の形態では、踏面覆い部１２と蹴上げ面覆い部１３とが交互に複数段（図１などでは５段の場合を示す）接合され、これらの複数段の踏面覆い部１２と蹴上げ面覆い部１３とに、それぞれ左右一枚ずつの側面覆い部１４が接合されている。そして、これらの複数の踏面覆い部１２と複数の蹴上げ面覆い部１３と左右の側面覆い部１４とにより、複数段のエスカレータ１の複数段の踏面３とこれらの踏面３間の複数段の蹴上げ面４と左右の欄干側面部内側５とを覆うように接合されている。ただし、これに限るものではなく、エスカレータ１の階段部２における１段のみまたは、２〜４段や６段以上に対応するようにエスカレータ用保護シート１０を構成してもよい。
【００３０】
側面覆い部１４はスカートガード５Ｃおよびインナーデッキ５Ｂ付近までを覆う。インナーデッキ５Ｂからさらに上方の箇所は別の欄干用シート（図示せず）で側面覆い部１４を覆うようにすると好適であり、そうすることで、欄干６の手摺７からスカートガード５Ｃまで広い範囲にわたって良好に覆うことができる。これにより、エスカレータ１よりも上方からの異物が、踏面３や蹴上げ面４と欄干側面部内側５との間の隙間に、落ちたり入り込んだりすることを良好に防止することができ、撤去作業の際も欄干用シートから取り外せば、踏面３や蹴上げ面４と欄干側面部内側５との間の隙間に、落ち込んだり入り込んだりすることを防止できる。
【００３１】
図６および図４、図５などに示すように、踏面覆い部１２は、板材１１を収納する板材収納部（板材収納領域）１２ｂを備えた袋状の袋状体１２ｆと、この袋状体１２ｆの一部に設けられた開口部１２ａと、開口部１２ａを開閉する面状ファスナーなどからなる着脱体１２ｃ、１２ｄと、開口部１２ａを覆う蓋材１２ｅとから構成されている。すなわち、踏面覆い部１２の開口部１２ａを開けることで、内部に収納されている板材１１を交換することも可能に構成されている。なお、この実施の形態では、踏面覆い部１２の前辺（いわゆる段鼻）に開口部１２ａが設けられている場合を図示したが、これに限るものではなく、踏面覆い部１２の左辺、右辺、後辺に開口部１２ａを設けて、この開口部１２ａを通して、板材１１を収納するよう構成してもよい。また、着脱体１２ｃ、１２ｄは線状のファスナーやボタンや紐などでもよい。
【００３２】
この構成によれば、踏面覆い部１２に、開口部１２ａを通して板材１１を収納する板材収納部１２ｂと、開口部１２ａを開閉する着脱体１２ｃ、１２ｄと、が設けられているので、踏面覆い部１２の板材収納部１２ｂに収納する板材１１を容易に交換することができる。したがって、このエスカレータ用保護シート１０を設置した後に行う工事やエスカレータ用保護シート１０の持ち運び作業などに合わせて、剛性の大きな板材１１や軽量で持ち運びしやすい板材１１などを収納することができる。また、大きさや厚みなどが異なる板材１１に変更することも容易に行える。
【００３３】
エスカレータ用保護シート１０は、エスカレータ１の長さに合わせて、複数（複数組）のエスカレータ用保護シート１０同士を前後方向に合わせて設置することができるよう構成されている。この実施の形態のエスカレータ用保護シート１０においては、図１に示すように、最上段の蹴上げ面覆い部１３には、これより、前方（上方）に配置されたエスカレータ用保護シート１０の最下段の踏面覆い部１２の下に敷くことができるように、延長用踏面覆い部１５が設けられており、これにより、上下段側のエスカレータ用保護シート１０の接続箇所でも隙間なくエスカレータ１を覆うことができるようになっている。
【００３４】
また、図１などに示すように、エスカレータ用保護シート１０の側面覆い部１４の外側端部には、エスカレータ１の欄干側面部内側５に付着する付着部１６が設けられている。この実施の形態では、付着部１６は例えば滑り止め材で構成され、側面覆い部１４の外側端部に張り付けられている。また、この実施の形態では、付着部１６が、エスカレータ１の欄干側面部内側５の一部をなすインナーデッキ５Ｂに貼り付けられ、付着部１６を介して、エスカレータ用保護シート１０の側面覆い部１４をエスカレータ１の欄干側面部内側５に張り付けることができるよう構成されている。しかし、これに限るものではなく、付着部１６は、インナーデッキ５Ｂが無いエスカレータ１の欄干側面部内側５にも付着されるよう構成されている。なお、付着部１６は、滑り止め材以外のもの、例えば粘着面を有する材料でもよく、エスカレータ１の欄干側面部内側５に張り付けることが可能な材料であればよい。また、最上段の延長用踏面覆い部１５の下面に滑り止め材や粘着面を有する材料など張り付けるなどしてもよい。
【００３５】
この構成によれば、側面覆い部１４の外側に、エスカレータ１の欄干側面部内側５に付着する付着部１６が設けられているので、このエスカレータ用保護シート１０を設置する際に、側面覆い部１４の付着部１６をエスカレータ１の欄干側面部内側５に付着させて容易に取り付けることができる。これにより、作業能率が向上するとともに、異物が、エスカレータ１の欄干側面部内側５と側面覆い部１４との間の隙間から内部に侵入することを確実に防止することができて、信頼性が向上する。
【００３６】
ここで、図７、図８などに示すように、エスカレータ用保護シート１０は、折り畳み自在に構成されている。また、図７、図８および図４などに示すとともに上記したように、蹴上げ面覆い部１３は、蹴上げ面４の上端部から直上段の踏面覆い部１２の下面に沿って奥端部に少し入り込むように、踏面覆い部１２と接続されている。つまり、蹴上げ面覆い部１３における、設置時に直上段の踏面覆い部１２と接続される辺が、この直上段の踏面覆い部１２の下面における奥行方向の途中部分に接続されている。
【００３７】
なお、この蹴上げ面覆い部１３における直上段の踏面覆い部１２と接続される箇所を上段接続部１３ｄと称し、蹴上げ面覆い部１３における直下段の踏面覆い部１２と接続される箇所を下段接続部１３ｃと称する。また、設置時において蹴上げ面覆い部１３における直上段の踏面覆い部１２と重なる箇所を、上段重なり部１３ｂと称する。また、図４、図５などでは、蹴上げ面覆い部１３の上段重なり部１３ｂが分かり易いように、踏面覆い部１２とわずかな隙間をあけた状態で示しているが、実際には、蹴上げ面覆い部１３の上段重なり部１３ｂと踏面覆い部１２とは接触した状態で配設される。なお、この実施の形態では、蹴上げ面覆い部１３と、この蹴上げ面覆い部１３における直下段の踏面覆い部１２とは、踏面覆い部１２の奥端上部箇所（下段接続部１３ｃ）で接続されている。
【００３８】
また特に、図１、図４に示すように、蹴上げ面覆い部１３における設置時に蹴上げ面４の縦方向に沿う部分（立設面部１３ａと称す）の長さＬ１と、設置時に直上段の踏面覆い部１２に重なる前記途中部分（上段接続部１３ｄ）までの長さＬ２（すなわち、上段重なり部１３ｂの長さＬ２）と、を合わせた蹴上げ面覆い部１３の長さ（この例では、蹴上げ面覆い部１３の長さ）Ｌ１＋Ｌ２が、踏面覆い部１２における前記途中部分（上段接続部１３ｄ）から、この踏面覆い部１２の奥端辺１２ｇまでの部分（非蹴上げ面覆い部１７と称す）の長さＬ３と略同一とされている。なお、図４、図５などにおける１３ｆは、蹴上げ面覆い部１３における立設面部１３ａと上段重なり部１３ｂとの境界点を示し、エスカレータ１の階段部２における蹴上げ面４の上端部と踏面３の段鼻との接続箇所に対応する箇所を覆っている。
【００３９】
そして、この構成により、エスカレータ用保護シート１０を、その踏面覆い部１２と蹴上げ面覆い部１３とが交互に上下に重なるように折り畳むと、図７、図８に示すように、踏面覆い部１２同士が前後方向（設置時における奥行方向）にずれない、コンパクトな状態で折り畳むことができるようになっている。
【００４０】
つまり、一般的に、踏面覆い部１２の前後方向の長さは、蹴上げ面４に沿う蹴上げ面覆い部１３の略上下方向に沿う長さよりも長いので、例えば、蹴上げ面覆い部１３の上端辺が直上段の踏面覆い部１２の段鼻に接続されており、蹴上げ面覆い部１３’が単に蹴上げ面４の縦方向に沿う部分（立設面部１３ａと称す）の長さＬ１である場合には、比較例を示す図９に簡略的に示すように、１段毎に踏面覆い部１２と蹴上げ面覆い部１３との長さの差（Ｌ２＋Ｌ３−Ｌ１）の寸法分だけ、前後方向にずれた状態で畳まれてしまう。これに対して、本発明の実施の形態のエスカレータ用保護シート１０では、このようなことなく、踏面覆い部１２同士が前後方向（設置時における奥行方向）にずれない、コンパクトな状態で折り畳むことができるようになっている。
【００４１】
すなわち、上記構成によれば、蹴上げ面覆い部１３における、設置時に直上段となる踏面覆い部１２と接続される辺が、この踏面覆い部１３の下面における奥行方向の途中部分である上段接続部１３ｄに接続され、蹴上げ面覆い部１３における設置時に蹴上げ面４の縦方向に沿う長さＬ１と設置時に直上段の踏面覆い部１２に重なる前記途中部分までの長さＬ２とを合わせた蹴上げ面覆い部１３の長さ（Ｌ１＋Ｌ２）が、踏面覆い部１２における上段接続部１３ｄから、この踏面覆い部１２の奥端辺までの長さＬ３と略同一である。これにより、図８に示すように、踏面覆い部１２同士が例えば上下方向に重なるようにエスカレータ用保護シート１０を折り畳んだ際に、踏面覆い部１２同士が前後方向や左右方向にずれない状態でエスカレータ用保護シート１０を折り畳むことができる。したがって、エスカレータ用保護シート１０を極めてコンパクトな状態で折り畳むことができて、持ち運びが容易となるとともに保管スペースを小さくすることができる。
【００４２】
また、エスカレータ用保護シート１０は、上記のように踏面覆い部１２や蹴上げ面覆い部１３を折り畳む際に、側面覆い部１４も折り畳めるよう構成されている。すなわち、図１０〜図１４などに示すように、例えば、谷折り線１８と山折り線１９とに沿って折り畳むことで、側面覆い部１４も上下に折り畳めるよう構成されている。例えば、谷折り線１８は、エスカレータ用保護シート１０の側面覆い部１４における、踏面覆い部１２の奥端部と蹴上げ面覆い部１３の下端部との接続部分の両端部から延びるように形成され、これらの谷折り線１８の中間位置に山折り線１９が設けられる。これらの谷折り線１８や山折り線１９は予め折り目をつけるよう構成されていると好適であり、分かり易いように側面覆い部１４自体の色と異なる色で示されていてもよい。これらの谷折り線１８や山折り線１９は、当該エスカレータ用保護シート１０の折り畳み時に折り畳み位置を案内する折り畳み用案内部の一例である。
【００４３】
また、折り畳み用案内部の他の例として、図１１、図１３に示すように、側面覆い部１４の内面における踏面覆い部１２の近傍箇所には、踏面覆い部１２を底面とし、山折り線１９の下端部を頂点とする略三角形状の折り畳みガイドプレート２０が貼り付けられている。この折り畳みガイドプレート２０を用いることで、山折り線１９で畳んだ部分を良好に重ねることができるように図られている。また、図１３、図１４に示すように、畳んだ部分が重なり合う部分につまむ際に目印となる目印部（マーク、折り畳み用案内部の他の例）２１を記載したり（切り欠いたり）してもよい。
【００４４】
さらに、このエスカレータ用保護シート１０では、図１５、図１６に示すように、踏面覆い部１２や蹴上げ面覆い部１３および側面覆い部１４を折り畳んだ後に、これらが全て内部に折り畳まれた状態を良好に保持できるように、最上段の延長用踏面覆い部１５の上面（表面、図１５においては簡略的に示す）と、最下段の踏面覆い部１２の下面（裏面）とに互いに着脱できる、面状ファスナーなどの補助着脱体２２、２３を設けている。
【００４５】
なお、エスカレータ用保護シート１０の基材（踏面覆い部１２の板材１１以外の部分や、蹴上げ面覆い部１３、側面覆い部１４）としては、ポリエステル織物の両面に軟質塩化ビニル樹脂が含浸された折り畳み可能なシート（例えば、厚み０．４８ｍｍ、質量５６０ｇ／ｍ２）を用いると好適であるが、これに限るものではない。すなわち、エスカレータ用保護シート１０の基材としては、当該エスカレータ用保護シート１０を繰り返し使用できるように、耐久性を有するシート材であればなんでもよい。エスカレータ用保護シート１０の基材は、いわゆるブルーシートを用いてもよく、基材の厚手の生地としてゴムシートを用いてもよい。また、雨漏りする場所においても、当該エスカレータ用保護シート１０を用いることができるように、前記基材として防水性を有する材料を用いてもよい。
【００４６】
また、複数の蹴上げ面覆い部１３および複数の非蹴上げ面覆い部１７を一枚の前記基材で構成し、この基材に踏面覆い部１２や側面覆い部１４をミシン縫製または高周波ウェルダー溶着で隙間の内容に接合すると好適であるが、これに限るものではない。また、前記基材の表面の色を、ビスや埃などの異物が落下した際に、この異物を目視し易い色にするとさらに好適であるが、これに限るものではない。
【００４７】
また、板材１１としては、例えばプラスチック製敷板を用いればよいが、これに限るものではなく、鉄柱などの足場を良好に支持することができる剛性などを有することが望ましい。また、板材１１は、持ち運びに便利なように、軽量であることが望ましいが、これに限るものでなく、樹脂製、木製、軽量な金属製の板など各種の板材を用いるとよい。
【００４８】
また、蹴上げ面覆い部１３と側面覆い部１４とが折り畳み自在に構成されているので、エスカレータ１の出入り口部分の踏面の間の高さ（蹴上げ面の高さ）が低くなる部分（小さい箇所）においてもこのエスカレータ保護シート１０を良好に設置することができる。また、図２、図１０に示すように、最上段の蹴上げ面覆い部１３と側面覆い部１２との接合方法は、面ファスナー２４、２５などの着脱手段を張り付けて、着脱可能としてもよい。すなわち、蹴上げ面覆い部１３と側面覆い部１２との接合部分には、面ファスナー２４、２５などの着脱手段を張り付けて、分離可能とする。そして、エスカレータ１の踏面の間の高さが低くなる部分に設置する場合、最上段部の蹴上げ面覆い部１３と側面覆い部１２の面ファスナー２４、２５の接合を剥し、最上段の延長用踏面覆い部１５と側面覆い部１４が踏面３と欄干側面部内側５から浮き上がって段差などができることを防止でき、段差などにより足が引っ掛かるなどの不具合が発生することを防止している。
【００４９】
なお、上記の実施の形態においては、図４および図１７に示すように、蹴上げ面覆い部１３と、この蹴上げ面覆い部１３における直下段の踏面覆い部１２とは、踏面覆い部１２の後端上部箇所（下段接続部１３ｃ）で接続されている場合を述べたが、これに限るものではなく、図１８に示すように、踏面覆い部１２の後端下部箇所（下段接続部１３ｃ）で接続したり、図１９に示すように、踏面覆い部１２の後端下部近傍（少し前方）の、踏面覆い部１２の下面の途中箇所で接続したりしてもよい。
【００５０】
また、上記実施の形態では側面覆い部１４により、エスカレータ１の欄干側面部内側５の下部に設けられているインナーデッキ５Ｂやスカートガード５Ｃを覆う場合を述べたが、これに限るものではなく、側面覆い部１４（および踏面覆い部１２、蹴上げ面覆い部１３）により、踏面３や蹴上げ面４との間の隙間を覆った状態で、エスカレータ１の欄干側面部内側５における少なくとも下部を覆うように構成すればよい。
【００５１】
また、上記の実施の形態では、エスカレータ１が左右に２人が並ぶことができるいわゆる２人用のエスカレータ１である場合を図示したが、これに限るものではなく、いわゆる１人用のエスカレータに対しても同様の構成をエスカレータ用保護シート１０として適用可能である。
【符号の説明】
【００５２】
１      エスカレータ
２      階段部
３      踏面
４      蹴上げ面
５      欄干側面部内側
５Ａ    内側板
５Ｂ    インナーデッキ
５Ｃ    スカートガード
６      欄干
７      手摺
１０    エスカレータ用保護シート
１１    板材
１２    踏面覆い部
１２ａ  開口部
１２ｂ  板材収納部（板材収納領域）
１２ｃ、１２ｄ  着脱体
１２ｅ  蓋材
１２ｆ  袋状体
１２ｇ  奥端辺
１３    蹴上げ面覆い部
１３ａ  立設面部
１３ｂ  上段重なり部
１３ｃ  下段接続部
１３ｄ  上段接続部
１３ｆ  境界点
１４    側面覆い部
１５    延長用踏面覆い部
１６    付着部
１７    非蹴上げ面覆い部
１８    谷折り線（折り畳み用案内部）
１９    山折り線（折り畳み用案内部）
２０    折り畳みガイドプレート（折り畳み用案内部）
２１    目印部（マーク、折り畳み用案内部）
２２、２３    補助着脱体
２４、２５    面ファスナー（着脱手段）
【図１】
2020176008.tif 000003
【図２】
2020176008.tif 000004
【図３】
2020176008.tif 000005
【図４】
2020176008.tif 000006
【図５】
2020176008.tif 000007
【図６】
2020176008.tif 000008
【図７】
2020176008.tif 000009
【図８】
2020176008.tif 000010
【図９】
2020176008.tif 000011
【図１０】
2020176008.tif 000012
【図１１】
2020176008.tif 000013
【図１２】
2020176008.tif 000014
【図１３】
2020176008.tif 000015
【図１４】
2020176008.tif 000016
【図１５】
2020176008.tif 000017
【図１６】
2020176008.tif 000018
【図１７】
2020176008.tif 000019
【図１８】
2020176008.tif 000020
【図１９】
2020176008.tif 000021